(57)【特許請求の範囲】
【請求項１】
管形状のベース部と、
前記ベース部の外周側に嵌め込まれ、駆動源となる弾性部材と、
前記ベース部の外周側に嵌め込まれて、前記弾性部材の一端側に配置され、外周面に複数の突起部及び内周面に少なくとも１つの突起を有し、前記ベース部の長手方向に移動されて前記弾性部材の引張又は圧縮を行う環形状の移動部と、
前記ベース部、前記弾性部材及び前記移動部を収容し、前記移動部の外周面の前記複数の突起部を移動可能に嵌め込み、前記複数の突起部を前記長手方向に移動させる複数の螺旋スリットと、前記螺旋スリットの端部と接続して前記複数の突起部の移動を制限する制限スリットと、外周面に設けられるリングギヤと、を有し、前記弾性部材の自然長への復帰時の弾性力による前記移動部の移動により回転される回転部と、
前記回転部の外周側に回転可能に嵌め込まれて、外周面に可撓によりロール紙の芯穴の内側に当接し該ロール紙を保持する保持部を有し、内周面に内ギヤが設けられるロール紙保持部と、
前記ベース部に係合され、前記回転部の前記リングギヤと前記ロール紙保持部の前記内ギヤとに歯合して遊星ギヤ構造で連結し、前記ロール紙保持部の正回転方向の回転を逆転させた反回転方向の回転に変えて前記回転部に伝達する反転部と、
前記弾性部材の自然長への復帰時に、前記移動部と当接し、回転する前記ロール紙保持部の回転角度を可変可能に設定する回転角度調整部と、
を備える紙送り装置。
【請求項２】
前記ロール紙保持部の反回転方向の回転を防止する反回転防止部を含み、前記引張又は圧縮された前記弾性部材が自然長に復帰する時には、前記ベース部から前記反転部の係合を解除し、前記回転部と前記ロール紙保持部を係合させるストッパ部を備える、請求項１に記載の紙送り装置。
【請求項３】
前記ベース部の両側の開口に嵌め込まれ、ロール紙ホルダーの支持バーに装脱着する装着部を備える、請求項１又は、請求項２に記載の紙送り装置。
【請求項４】
取り付け面を有する背部と、
前記背部の一方の側端に設けられる固定形壁部又は、開閉形壁部のいずれかの壁部と、
少なくとも１つの前記紙送り装置が組み込まれ、前記固定形壁部又は、前記開閉形壁部のいずれかの前記壁部に一端が固定されて、他端からロール紙を填め入れて支持する支持バーと、
先端にカッターが設けられた蓋板と、
を有する、請求項１に記載の紙送り装置を備えるロール紙ホルダー。
【請求項５】
取り付け面を有する背部と、
前記背部の一方の側端に設けられる固定形壁部と、
前記背部の他方の側端に開閉可能に設けられる開閉形壁部と、
少なくとも１つの前記紙送り装置が組み込まれ、前記開閉形壁部に一端側が固定されて、ロール紙を填め入れて支持する支持バーと、
先端にカッターが設けられた蓋板と、
前記開閉形壁部の開時に前記蓋板の先端側を上方に突き上げる突き上げ機構と、
を有する、請求項１に記載の紙送り装置を備えるロール紙ホルダー。
【請求項６】
筐体に収納されて、前記紙送り装置を備える前記ロール紙ホルダーの前記固定形壁部、又は、前記開閉形壁部の何れかに脱着可能に備えられ、
電源部と、
検出対象の近接及び離間を検知するセンサと、
外部機器と接続し、音楽データや音声データを入力するコネクタ部と、
前記コネクタ部から入力した前記音楽データや前記音声データを書き換え可能に記憶する記憶部と、
前記センサが前記検出対象の近接を検知している間に、前記記憶部に記憶される前記音楽データや前記音声データを再生する音声再生部と、
再生された前記音楽データや前記音声データを音として出力するスピーカと、
を有する音声部を搭載する、請求項４又は請求項５に記載のロール紙ホルダー。
【発明の詳細な説明】
【技術分野】
【０００１】
本発明の実施形態は、ロール紙の静音型紙送り装置及び、紙送り装置を組み入れた支持バーを備えるロール紙ホルダーに関する。
【背景技術】
【０００２】
従来、トイレットペーパー等の長尺で巾の狭い紙を巻き取ったロール紙は、専用のロール紙ホルダー（以下、ホルダーと称する）に収容されて利用されている。
【先行技術文献】
【特許文献】
【０００３】
【特許文献１】実用新案登録３２１９７１０号公報
【特許文献２】実開平５−８０３９６号公報
【発明の概要】
【発明が解決しようとする課題】
【０００４】
通常、ホルダーに収容されているロール紙は、利用者により所望する長さが引き出され、蓋板等の先端に設けられたカッターにより、切り取られて利用されている。カッターで切り取られたロール紙の先端部である端面は、カッターに接した状態で蓋板の先端真下にあり、露出していない。引き続き、ロール紙を使用する場合には、蓋板の先端の上に持ち上げて、ロール紙の端面を指で摘まみ上げるか又は、ロール紙を手で回して、蓋板の先端からロール紙の端面を露出させて、指でその端面を摘まみ上げることが必要となる。
【０００５】
ロール紙の端面を露出させる装置として、例えば、特許文献１では、多数の歯車と複数のゼンマイバネで構成される紙送り機構が設けられたホルダーが提案されている。この紙送り機構は、多数の部品からなる複雑な機構造であり、ホルダー本体に組み込まれた構成である。さらに、特許文献２では、ロール紙が引き出された際に、径が変化する捻りによる弾性力を貯めたコイルバネを利用してロール紙を反回転させる紙送り機構が設けられたホルダーが開示されている。このコイルバネは、一端が固定され、他端が取付室側面に対して摺動可能に圧接された状態で接するように取り付けられて弾性力を発生させる構造である。このため、使用回数の積算により、コイルバネの他端が当接面（取付室側面）を摩耗して他端又は当接面を削り、接触箇所の面が荒れてしまい摩擦抵抗も変化する。この変化により、コイルバネの他端の滑り出しが不安定になり、蓄えられる弾性力が変化し、安定した紙送りが困難となる。よって、ロール紙を引き出す際に、コイルバネの弾性力の変化がロール紙に直接的に作用するため、ロール紙によっては千切れる可能性が高まる上、ロール紙の端面（切断面）の停止位置も不確定となる。
【０００６】
さらに、これらの紙送り機構は、ホルダー内に一体的に取り付けられた特別な構造であり、ホルダーとは別体で構成できない。このため、ホルダー単位の扱いとなり、一般的に市販されている既存のホルダーには、後付で装着することはできない。通常、トイレを新設及び改築するか、又は、ホルダーが破損しない限り、ホルダーの新規取り付けや交換する機会はあまりない。さらに賃貸住宅等においては、設置状況や賃貸契約によって、賃貸者が勝手に好みのホルダーに取り換えることができない場合もある。
【０００７】
また、ロール紙の芯は、厚紙を用いて中空の円筒形状に作成されている。このため、芯の形状が搬送途中やホルダー装着時に真円から歪んで変形する場合や芯の縁が折れ曲がる場合がある。これらの場合、ホルダーへの装着やロール紙を引き出すことには問題が無い。しかしながら、ホルダーに装着されているロール紙を引き出す際に、ホルダーのロール紙支持バーと、ロール紙の芯の凹凸部分とが繰り返し衝突して、蓋板を上下に振動させながら、カタカタという音を発生させる。この音を気にする利用者は、ホルダーの蓋板を持ち上げる又は、ロール紙自体を持ち上げて、ロール紙支持バーから浮かせて、音が発生しないように、ロール紙をゆっくり引き出している。
【０００８】
さらに、近年、ウイルスによる感染症が見られ、感染者による飛沫感染だけではなく、ウイルスが付着したものに触って感染する接触感染も問題視されている。特に、公共トイレにおいては、不特定多数の人が利用するため、手で触る箇所にウイルスが付着している可能性があり、トイレ内感染も問題視されている。このため、トイレ内の備品に触れる機会をなるべく減らすことが望ましい。
【０００９】
そこで本発明は、ロール紙が切り取られた後に、ロール紙を回転させてロール紙の先端部を露出し、且つロール紙が引き出される際に発生する音を低減する静音型紙送り装置及び、紙送り装置を組み入れた支持バーを備えるロール紙ホルダーを提供することを目的とする。
【課題を解決するための手段】
【００１０】
本発明に従う実施形態に係る紙送り装置は、管形状のベース部と、前記ベース部の外周側に嵌め込まれ、駆動源となる弾性部材と、前記ベース部の外周側に嵌め込まれて、前記弾性部材の一端側に配置され、外周面に複数の突起部及び内周面に少なくとも１つの突起を有し、前記ベース部の長手方向に移動されて前記弾性部材の引張又は圧縮を行う環形状の移動部と、前記ベース部、前記弾性部材及び前記移動部を収容し、前記移動部の外周面の前記複数の突起部を移動可能に嵌め込み、前記複数の突起部を前記長手方向に移動させる複数の螺旋スリットと、前記螺旋スリットの端部と接続して前記複数の突起部の移動を制限する制限スリットと、外周面に設けられるリングギヤと、を有し、前記弾性部材の自然長への復帰時の弾性力による前記移動部の移動により回転される回転部と、前記回転部の外周側に回転可能に嵌め込まれて、外周面に可撓によりロール紙の芯穴の内側に当接し該ロール紙を保持する保持部を有し、内周面に内ギヤが設けられるロール紙保持部と、前記ベース部に係合され、前記回転部の前記リングギヤと前記ロール紙保持部の前記内ギヤとに歯合して遊星ギヤ構造で連結し、前記ロール紙保持部の正回転方向の回転を逆転させた反回転方向の回転に変えて前記回転部に伝達する反転部と、前記弾性部材の自然長への復帰時に、前記移動部と当接し、回転する前記ロール紙保持部の回転角度を可変可能に設定する回転角度調整部と、を備える
【発明の効果】
【００１１】
本発明の実施形態によれば、ロール紙が切り取られた後に、ロール紙を回転させてロール紙の先端部を露出させ、且つロール紙が引き出される際に発生する音を低減する静音型紙送り装置及び、紙送り装置を組み入れた支持バーを備えるロール紙ホルダーを提供することができる。
【図面の簡単な説明】
【００１２】
【図１】図１は、第１の実施形態に係る紙送り装置の外観構成を概念的に示す図である。
【図２】図２は、第１の実施形態に係る紙送り装置の部品組み立て図である。
【図３】図３は、引張コイルバネを駆動源とする紙送り装置の断面構造を示す図である。
【図４】図４は、圧縮コイルバネを駆動源とする紙送り装置の断面構造を示す図である。
【図５】図５（ａ）は、紙送り装置の回転部の構成を示し、図５（ｂ），（ｃ），（ｄ），（ｅ），（ｇ）は、回転部による紙送り動作を説明するための回転部の螺旋スリットと移動部のガイド突起の位置関係を示す図である。
【図６】図６は、第２の実施形態に係る紙送り装置のストッパ部の構成を示す図である。
【図７】図７は、従紙送り装置における断面構造を示す図である。
【図８】図８（ａ）は、第１適用例における紙送り装置の斜めから見た外観構成を示す図、図８（ｂ）は、紙送り装置を正面から見た外観構成を示す図である。
【図９】図９は、第２適用例における紙送り装置が搭載されたホルダーの外観構成に示す図である。
【図１０】図１０は、第３適用例における紙送り装置が搭載されたホルダーの外観構成に示す図である。
【図１１】図１１は、音声部の構成を示す図である。
【発明を実施するための形態】
【００１３】
以下、図面を参照して本発明の実施形態について詳細に説明する。  
［第１の実施形態］  
第１の実施形態として、ロール紙を紙送りする紙送り装置について説明する。  
図１は、第１の実施形態に係る紙送り装置の外観構成を概念的に示す図である。図２は、紙送り装置の部品組み立て図である。図３は、引張コイルバネを駆動源とする紙送り装置［第１紙送り装置］における断面構造を示す図である。図４は、圧縮コイルバネを駆動源とする紙送り装置［第２紙送り装置］における断面構造を示す図である。以下に記述される回転方向については、ロール紙１００（図７）が引き出される方向を正回転方向（第１の回転方向）とし、正回転方向とは反対方向でロール紙１００が巻き込まれる方向を反回転方向（第２の回転方向）として説明する。上述の第１紙送り装置と第２紙送り装置は、実質的に同等の構成部位により構成されるが、構成の主たる差は、弾性部材として用いる、例えば、コイルバネと回転部の配置が異なり、駆動源として利用する引張するコイルバネの引張した形態から元の形態（自然長）に戻る際に発生する弾性力が作用する構成と、圧縮するコイルバネの圧縮した形態から元の形態（自然長）に戻る際に発生する弾性力が作用する構成との違いである。
【００１４】
また、以下の説明において、紙送りとは、ロール紙の切り取り後に、回転方向に関係なく、ロール紙を回転させて、結果的に、ロール紙の先端部分がホルダーの蓋板先端からはみ出して、露出している状態になることを紙送りと称している。即ち、紙送りのために、ロール紙が引き出される正回転方向に回転してもよいし、ロール紙が引き出される正回転方向とは反対の反回転方向に回転してもよい。
【００１５】
本実施形態の紙送り装置は、後述する適用例として、ロール紙の芯に直に差し込む第１タイプ［第１適用例］と、ロール紙ホルダー（以下、ホルダーと称する）のロール紙を支持する支持バーに組み込み一体的に構成される第２タイプ［第２適用例］がある。第１タイプと第２タイプの紙送り装置自体の基本構成は、同等である。紙送り装置の大きさは、適用するロール紙がトイレットペーパーの場合には、ロール紙の芯径Φ（略３８ｍｍ）に基づいて設定され、例えば、後述する紙送り装置のロール紙保持部６本体の外径Φ１が３５ｍｍであり、変形可能な保持部４２を含む外径Φ２は、４０ｍｍ〜４５ｍｍ程度である。また回転軸方向の長さは、略１２０ｍｍ程度である。これらの寸法は、限定されるものではない。
【００１６】
この紙送り装置１は、大別して、ホルダー支持バーに装着して固定するための装着部２と、管形状のベース部３と、ロール紙１００を回転させるための駆動力を供給する駆動源４と、駆動源４の外周側に設けられる回転機構５と、ロール紙１００を保持するロール紙保持部６と、で構成される。尚、装着部２は、前述した第２適用例のロール紙を支持する支持バーに組み込む構成の場合には、不要である。  
この紙送り装置１において、利用者がロール紙１００を引き出すと、ロール紙保持部６がロール紙１００と一体的に回転する。ロール紙保持部６の回転により、回転機構５が回転し、駆動源４に弾性力を蓄えるように作用（ここでは、引張又は圧縮）する。引き出されたロール紙１００が切り取られた後、駆動源が元の状態に戻るために発生する弾性力を利用して、回転機構５を回転（正回転又は反回転）させる。回転機構５の回転は、ロール紙保持部６と一体的に、ロール紙１００を回転させて、ロール紙１００の先端部分をホルダーの蓋板先端から露出させた状態となる。
【００１７】
図２に示すように、装着部２は、ゴム又は樹脂等の弾性材料を用いて、円錐形状又は、円錐台形状に形成される。装着部２は、先端側又は上底側から切り込まれて鰐口状に開口され、ベース部３の両側からそれぞれに内部に差し入れるように設けられる。装着部２は、ロール紙１００のホルダーの支持バーに装脱着可能である。装着部２は、ホルダーの支持バーに差し込み、支持バーを咥えこむように装着され、ベース部３に回転やがたつきが生じないように固定する。装着部２の他の形状としては、円盤形状（蓋形状）の弾性部材に、スリットを形成したものであってもよい。この場合、ホルダーの支持バーをスリットに差し込むことで、ホルダーの支持バーに固定する構造である。
【００１８】
ベース部３は、硬質部材、例えば、硬質な樹脂材料、金属材料又はセラミック材料により、両端が開口された円筒の管形状に形成される。この実施形態では、断面が円形の筒形状のベース部３を例としているが、これに限定されず、ベース部の断面は、矩形を含む他の形状であってもよい。その際に、後述するコイルバネ７及び移動部９は、ベース部３の断面形状と同様な形状となる。  
このベース部３は、滑らかな外表面を有する。ベース部３の開口の一端には、鍔状に張り出したフランジ部３ａが設けられている。このフランジ部３ａには、後述する回転機構５の反転部１４が固定される。
【００１９】
さらに、ベース部３の外周面には、後述する移動部９に設けられている回転防止突起８ｂを摺動させるための回転防止ガイド溝（又は、回転防止ガイドスリット）３ｃが設けられている。回転防止ガイド溝３ｃは、ベース部３の長手軸（中心軸）の方向に沿った少なくとも１つの直線の溝又はスリットである。尚、本実施形態では、ベース部３の一端に平板形状のフランジ部３ａを設けているが、回転機構５が径方向に厚みを要した場合には、回転機構５を軸方向の内側（中央側）に配置し、その外側に円筒状の筒部材（図示せず）を増設した形状であってもよい。これは、装着部２が径方向に小型化し、ホルダーの支持バーに装着できなくなることを防止するためである。
【００２０】
また、装着部２をベース部３に対して着脱自在な構造として、装着部２で挟まれたベース部３内部の空きスペースを芳香剤容器が収納されるスペースとして用いてもよい。この芳香剤容器は、例えば、ベース部３内部へ収納可能な径の筒形状であり、筒表面に複数の孔が開口され、筒内にスポンジ等が収容されたカプセルが好適する。孔からスポイト等を差し込み、スポンジに所望する芳香液を染みこませることで、ベース部３に芳香機能を持たせることができる。また、粒状の芳香剤をカプセル内に収納するタイプであってもよい。他には、芳香剤に代わって、消臭剤を利用しても良い。他にも、ロール紙保持部６又は、ロール紙保持部６の表面に凹部を形成し、その凹部内にスポンジを貼付し、芳香液を染みこませてもよい。また、ベース部３に芳香機能を持たせる場合には、ロール紙保持部６においても、筒表面に複数の孔が開口され、ロール紙の芯との隙間から香りが放出される。
【００２１】
また、フランジ部３ａを設けているベース部３の反対側の開口の他端には、フランジ部３ｂが取り付けられている。フランジ部３ｂは、構成部位の駆動源４、回転機構５及びロール紙保持部６をベース部３に組み付けた後、これらの構成部位が抜け出ないように、ストッパとして機能する。さらに、フランジ部３ｂは、後述するロール紙保持部６の紙送り角度調整部として機能するバー形状の移動部停止部材３ｅが設けられている。この移動部停止部材３ｅは、回転防止ガイド溝３ｃ内に嵌め込まれており、移動部停止部材３ｅの先端が回転防止突起８ｂに当接することで、移動部９の移動を任意の位置に停止させる。
【００２２】
さらに、既存のホルダーの支持バーの形状が、一本の円形棒形状で長手方向に伸縮し、両端に設けられた突起でホルダーに着脱可能に支持される構成であれば、ベース部３は、その支持バー中央に一体的となるように組み入れられた構成でもよい。尚、このような支持バーは、ホルダーに回転可能な状態で装着されている場合が多いため、別途、ベース部３とホルダー間に回転防止用部材を設ける必要がある。回転防止用部材としては、例えば、Ｌ型金具を用いて、一端をホルダーの縁に掛けるように設け、他端を支持バーに固定する構成であってもよい。
【００２３】
本実施形態の駆動源４は、弾性部材が発生する弾性力を駆動力として用いる。弾性部材として、例えば、引張コイルバネ７Ａ又は圧縮コイルバネ７Ｂの何れかのコイルバネ７を用いる。駆動源４は、コイルバネ７の駆動力を伝達するための移動部９を有している。駆動源４は、コイルバネ７を一旦、引張させて、そのコイルバネ７が自然長に戻るように縮むことで弾性力を発生させる。又は、コイルバネ７を一旦、圧縮させて、そのコイルバネ７が自然長に戻るように伸長することで弾性力を発生させる。
【００２４】
本実施形態において、コイルバネ７は、均一な巻きピッチ（巻き間隔）でもよいが、巻きピッチが異なる組み合わせ、例えば、巻きピッチが狭い密巻きと、巻きピッチが広い疎巻きを組み合わせた不等間隔コイルバネを用いてもよい。このような密巻きと疎巻きを組み合わせたコイルバネは、自然長の状態から引張される際に、最初に疎巻き部分が伸び、後に密巻き部分が伸びるように構成される。反対に、自然長の状態から圧縮される際に、最初に疎巻き部分が縮み、後に密巻き部分が縮むように構成される。但し、密巻きと疎巻きの組み合わせは、徐々にピッチが変化する構成でもよいし、明確に異なるピッチに区分する構成でもよい。
【００２５】
つまり、コイルバネ７が不等間隔コイルバネであれば、ロール紙１００の引き出し開始時には、引張又は圧縮が弱い弾性力であるため、引き出されたロール紙１００が千切れることなく引き出され、ロール紙１００に回転の勢い（慣性）が付いた後に、密巻き部分により弾性力を強くすることで、弾性力を蓄え、紙送り時に回転機構５へ与える駆動力を高めることができる。  
さらに、コイルバネの巻き線の太さ（直径）を変えることで、部分的に弾性力を変化させてもよい。また、ばね定数（または、弾性力）が異なる材料により形成されたコイルバネを組み合わせて繋ぎ、弾性力を変化させてもよい。
【００２６】
コイルバネ７が引張コイルバネ７Ａの場合は、筒状のベース部３の外周側面に沿うように長手方向に嵌め込まれている。コイルバネ７の一端７ａは、ベース部３のフランジ部３ａに固定され、コイルバネ７の他端７ｂは、ベース部３に嵌め込まれた移動部９に固定されている。引張コイルバネは、通常、両端に掛け用のフックが設けられているが、本実施形態では、構造上、フックを設けることができないため、バネ両端に複数のツメにより取り付けられる環形状のバネ固定部を配置し、これらのバネ固定部をフランジ部３ａ及び移動部９に固定してもよい。
【００２７】
一方、コイルバネ７が圧縮コイルバネ７Ｂの場合は、筒状のベース部３の外周側面に沿うように長手方向に嵌め込まれている。コイルバネ７の一端７ａは、ベース部３のフランジ部３ａに当接している。この時、コイルバネ７の一端７ａは、ベース部３のフランジ部３ａに固定されなくともよい。また、コイルバネ７の他端７ｂは、ベース部３に嵌め込まれた移動部９に当接している。この時、コイルバネ７の他端７ｂと移動部９とは、固定されても固定されなくともよい。
【００２８】
また、移動部９は、ベース部３に移動可能に嵌め込まれるリング形状（又は、環形状）を成し、金属部材又は硬質樹脂部材により形成されている。尚、剛性を考慮した金属材料と樹脂材料の貼り合わせ構造であってもよい。また、後述するストッパ部を組み入れる場合には、磁力が作用する金属部材を含む導電部材により形成される。移動部９は、断面形状が円形（楕円を含む）又は矩形であってもよい。図２に示すように、移動部９のリング外周面には、複数のガイド突起８ａが設けられ、リング内周面には、少なくとも１つの回転防止突起８ｂが設けられている。但し、ガイド突起８ａの数は、限定されるものではない。回転防止突起８ｂは、前述したベース部３の回転防止ガイド溝３ｃに摺動可能に嵌め込まれている。
【００２９】
移動部９のガイド突起８ａは、例えば、円柱形状又は滴形状であり、リング外周面において、リング中心を中心点として等角度で等分割する位置に設けられる。即ち、偶数個、例えば、２個のガイド突起８ａであれば、中心を通る直径方向で対向する対の位置に配置される。また、奇数個、例えば３個のガイド突起８ａであれば、中心点に向かい３つの等角度（１２０°）に等分割した位置に配置される。また、ガイド突起８ａが滴形状の場合には、滴形状は、円形部分と尖形部分とで構成され、コイルバネ７の自然長に戻る方向に対して、尖形部分が先頭の位置になるように配置される。
【００３０】
これらのガイド突起８ａは、後述する回転機構５の回転部１１に螺旋状に形成された複数のスリット（以下、螺旋スリット又は、螺旋溝と称する）１２に移動可能に嵌め入れられる。この移動部９は、後述する回転部１１の回転に伴い、後述する図５（ｂ）乃至図５（ｇ）に示すように、螺旋スリット１２内をガイド突起８ａが移動して、移動部９がコイルバネ７をベース部３の長手方向に引張又は圧縮させる。ガイド突起８ａは、移動部９とは別部材で形成して、移動部９に直接、立設するように形成してもよい。また、移動部９に穴を形成し、穴の中にスプリングを入れて、その上からガイド突起８ａを填め入れて、上下に移動可能に構成してもよい。
【００３１】
また、移動部９のリング内周側に少なくとも１つの回転防止突起８ｂが設けられている。回転防止突起８ｂは、ベース部３の外周面上に形成された直線状の回転防止ガイド溝３ｃに嵌め込まれてスライド移動する。回転防止突起８ｂは、移動部９がベース部上を回転せずにベース部３の軸方向に移動させる機能を有する。即ち、回転防止突起８ｂを設けなかった場合には、回転部１１に形成された複数の螺旋スリット１２内をガイド突起８ａが移動する際に、移動部９がコイルバネ７に固定されていれば、移動部９がコイルバネ７を縮ませる共に、回転によるねじれを発生させることが考えられる。このコイルバネ７に生じるねじれは、コイルバネ７が自然長に戻る際に、ロール紙１００の紙送り回転角度に変化を与える可能性が有り、結果、ロール紙１００の先端が設定された位置に停止しない事態を発生させる場合がある。又は、回転防止突起８ｂを設けていない移動部９がコイルバネ７に固定されていない場合には、コイルバネ７に対する引張や圧縮を行わずに、移動部９のみが、その位置で回転する事態が想定される。
【００３２】
そこで、移動部９の回転防止突起８ｂを回転防止ガイド溝３ｃに沿って直線的にスライド移動させることで、移動部９の回転を防止し、及びコイルバネ７に回転によるねじれが生じないように、引張及び圧縮させることができる。尚、ガイド突起８ａ及び回転防止突起８ｂに極小ボールベアリング等を嵌め込み、後述する螺旋スリットを摺動移動する際に生じる摩擦抵抗を低減する構造であってもよい。
【００３３】
また、コイルバネ７の弾性力の代わりとなる駆動源として、例えば、永久磁石の反発力を利用してもよい。本実施形態では、複数のリング形状の磁石を用いることができる。このリング形磁石は、同極どうしを向き合わせる配列で複数段をベース部に填め入れて、圧縮コイルバネと同様に使用することも可能である。駆動源として磁石を用いる場合には、ベース部３及び後述する回転部１１は、磁場の影響を受けない材料により形成される。さらに別の駆動源として、反発弾性を有する部材、例えば、ゴム材、ウレタン材を筒形状に形成して用いることも可能である。
【００３４】
本実施形態の回転機構５は、回転部１１及び、反転部１４により構成されている。この回転部１１は、筒形状を成し、駆動源４であるコイルバネ７の外側を覆うように嵌め込まれている。図５（ａ）は、紙送り装置の回転部１１の構成を示し、図５（ｂ），（ｃ），（ｄ），（ｅ），（ｇ）は、回転部１１による紙送り動作を説明するための回転部１１の螺旋スリット１２と移動部９のガイド突起の位置関係を示している。この回転部１１は、コイルバネ７が元の状態に復帰する際の弾性力による移動部９の押し戻し（又は、引き戻し）の移動により回転することで、ロール紙１００を保持するロール紙保持部６を回転させる。即ち、回転部１１は、ロール紙１００を回転させる。  
以下の説明の中で、螺旋スリット１２の長手軸に対する螺旋の傾き角度を螺旋角度とする。コイルバネ７が自然長に戻る時に、長手軸と直交する垂直面（回転部１１の断面）における回転部１１の回転が開始する角度から停止する角度までの角度を旋回角度とする。コイルバネ７が自然長に戻る時にロール紙保持部６（又は、ロール紙１００）が回転する角度を紙送り回転角度とする。
【００３５】
回転部１１は、両端が開口された真円の管形状を成す硬質な樹脂部材又は金属部材により形成される。回転部１１は、図５（ａ）に示すように、長手軸方向に対して、外周面上を螺旋状に延びる複数の螺旋スリット（又は、螺旋溝）１２及び、回転部１１の円周一周に渡る制限スリット（又は、制限溝）１３が設けられている。前述した移動部９の複数のガイド突起８ａがこれらの螺旋スリット１２内を摺動移動し、制限スリット１３に入り込む。この制限スリット１３は、回転部１１の螺旋スリット１２内から移動部９が抜け出た以降、移動部９によるコイルバネ７に対する引張や圧縮を停止し、回転部１１を空回りさせる機能を有する。即ち、制限スリット１３は、コイルバネ７に対して一定の引張や圧縮を与えた後、移動部９に対して回転部１１を空回りさせることで、ロール紙１００の引き出される長さの制限を無くし、引き出される長さを自由にするものである。
【００３６】
また、回転部１１は、ガイド突起８ａの数に対して、複数倍の数の螺旋スリット１２を形成しており、後述する制限スリット１３から螺旋スリット１２に入り込みやすくしてもよい。また、回転部１１の両端には、外周側にギヤ歯を設けたリング形状のリングギヤ（太陽ギヤ）１６が嵌め込まれる。勿論、リングギヤ１６のギヤ歯を、回転部１１の両端の外周面上に直接、形成し、リングギヤ１６と回転部１１を一体化させた構造であってもよい。
【００３７】
この螺旋スリット１２は、筒状の回転部１１の外周面に形成される螺旋状に旋回する旋回角度（回転部１の径方向の断面から見た螺旋スリットが形成されている角度）が、後述するロール紙の紙送りするためのロール紙保持部６の紙送り回転角度を設定する。以下、螺旋スリット１２による旋回角度の一例について説明する。  
回転部１１とロール紙保持部６の間に介在する反転部１４とのギヤ比にも規定されるが、例えば、ロール紙保持部６の紙送り回転角度と、回転部１１の旋回角度とが５対４の場合には、ロール紙保持部６が１回転すると、回転部１１は、１．２５倍の５／４回転する。即ち、ロール紙１００を引き出した際に、ロール紙１００を１回転させると、ロール紙保持部６も一体的に１回転され、回転部１１は５／４回転して、コイルバネ７を圧縮又は引張する。ここで、前述したように、制限スリット１３により、回転部１１の１回転以上においては、空回りさせて、コイルバネ７に対して１回転分の引張や圧縮による弾性力を蓄えさせる。そして、紙送り時には、螺旋スリット１２を利用して、コイルバネ７の弾性力により回転部１１を１回転させると、ロール紙保持部６及びロール紙１００は一体的に４／５回転する。
【００３８】
具体的には、ホルダーに装着されるロール紙１００を垂直方向（重力方向）の頂上部を０度とし、最下部を１８０度と仮定した場合で、ホルダーの蓋板の先端がロール紙１００の水平位置（紙切り位置）となる９０度で接しているものと仮定する。ここで、例えば、ロール紙１００の引き出し時に、ロール紙１００を正回転方向に１回転（３６０度回転）させると、ロール紙保持部６も一体的に１回転する。この時、回転部１１は、反回転方向に５／４回転（４５０度回転）して、コイルバネ７を圧縮又は引張しようとする。ここで、制限スリット１３により、回転部１１の１回転以上においては空回りさせて、コイルバネ７に対して、回転部１１の１回転分の引張や圧縮による弾性力を蓄えさせる。ロール紙１００を切り取った後の紙送り時には、コイルバネ７の自然長に戻るときの弾性力により、回転部１１が正回転方向に１回転（３６０度）すると、ロール紙保持部６が反回転方向に４／５回転（２８８度回転）する。この４／５回転は、コイルバネ７が自然長に戻る時にロール紙保持部６が回転する角度であり、前述した紙送り回転角度である。
【００３９】
このロール紙保持部６の回転により、ロール紙１００も一体的に反回転方向に４／５回転するため、ロール紙の切り取られた端面もホルダーの蓋板の先端（９０度）から反回転方向に２８８度回転し、ホルダーのロール紙１００の最下部（１８０度）よりも正面側で停止する。つまり、ロール紙１００を使用した後に、水平位置にあるホルダーの蓋の先端から最下部のロール紙の端面まで紙部分が露出しており、次の引き出しに利用する掴み部分となる。
【００４０】
螺旋スリット１２による旋回角度は、ホルダーの蓋板の先端から露出させるロール紙の端面からの長さを考慮することで設定される。また、螺旋スリット１２の螺旋の傾きである螺旋角度は、回転部１１の長手方向の長さと、コイルバネ７の弾性力、可動する部材間の移動時に係る摩擦力と、使用対象となるロール紙１００の破れ易さ等を考慮して適宜、設定される。
【００４１】
また、本実施形態における螺旋スリット１２の螺旋の傾きを示す螺旋角度は、スリットの先端（外側）１２ａから終端（開口）１２ｂまで同じ角度であっても異なってもよい。この螺旋角度は、長手軸に対して一定の傾き角度はなく、例えば、制限スリット１３に向かう長手軸に対して交差する螺旋スリットの傾き角度が徐々に小さくなるように設定する。この螺旋角度の調整は、最初、長手軸に対して交差する螺旋角度を大きくすることで、ロール紙１００の引き出し開始時のコイルバネ７の圧縮又は引張が小さくなり、ロール紙１００が破れることを抑制し、ある程度、引き出されるロール紙１００が回転してから、長手軸に対する螺旋角度を小さくして、螺旋角度に対する移動部９の移動する距離を大きくすることで、コイルバネ７の圧縮又は引張を大きくする。
【００４２】
このように、ロール紙１００の紙送り回転角度は、回転部１１の周面に形成される螺旋スリット１２の螺旋角度により設定される。しかし実際の構成においては、紙送り回転角度の設定が螺旋スリット１２の旋回角度のみでは、構成部品の製造誤差や個体差により、ロール紙１００の端面の停止位置に誤差が生じる場合がある。そこで、ロール紙１００の紙送り回転角度は、回転角度調整部を設けて設定する。この回転角度調整部は、樹脂製からなるバー形状の移動部停止部材３ｅをフランジ部３ｂに設けて、回転防止ガイド溝３ｃに嵌め込まれる。この移動部停止部材３ｅの長さにより回転防止突起８ｂの停止位置を規定することで、移動部９の移動を強制的に停止させて、螺旋スリット１２による旋回角度を設定する。この旋回角度が設定されると、予め設定された反転部１４を考慮した回転部１１のリングギヤ１６と外装部４１の内歯ギヤ４３のギヤ比により、紙送り回転角度が設定される。
【００４３】
また、移動部停止部材３ｅが設けられたフランジ部３ｂは、ベース部３から取り外し可能に構成する。移動部停止部材３ｅ上に長さにより規定された回転角度の角度（例えば、５度）が記載された目盛りを形成する。移動部停止部材３ｅの長さが短くなるほど、ロール紙１００が反回転する紙送り回転角度が大きくなり、ホルダーの蓋板の先端（カッター部）にロール紙１００の端面が近づく。出荷時は、前述したように、ロール紙１００の端面がホルダーの下方で停止するように設定する。ユーザがベース部３からフランジ部３ｂを取り外し、カッター等を用いて、移動部停止部材３ｅ上に設けられた所望する紙送り回転角度が記された目盛りの位置で、移動部停止部材３ｅを切り取る。これにより、ユーザが所望する位置にロール紙１００の端面を停止させることができる。つまり、移動部停止部材３ｅの長さを調整することで、移動部９の停止位置を調整し、回転部１１の紙送り時にロール紙１００の回転する角度を設定することができる。
【００４４】
さらに、本実施形態の紙送り装置において、構造上、紙送り装置１を差し込んだロール紙１００をホルダーに装着する方向が限定されている。図８（ａ）に示すように、ロール紙１００をロール紙保持部６の右側からに差し込む。この紙送り装置１を差し込んだロール紙１００を正面から見て、フランジ部５３（フランジ部３ａ）がホルダーの左側に来るようにロール紙１００をホルダーに装着する。回転角度調整部を備えることにより、ユーザーが間違えて、フランジ部５３が右側に来るようにホルダーに装着し、ロール紙１００を引き出そうとしても逆回転を防止できるため、逆回転による紙送り装置への損傷を防止することができる。
【００４５】
また、これらのガイド突起８ａと螺旋スリット１２との間の接触する箇所は、摺動抵抗を減少させるために、スリットの壁面の断面形状を半円又は蒲鉾形に凸形状に形成し、互いが点で接するようにしてもよい。同様に、回転防止突起８ｂと回転防止ガイド溝３ｃの間の接触する箇所においても、摺動抵抗を減少させるために、溝両壁面を半円又は蒲鉾形に突出するように形成して、互いが点で接するようにしてもよい。または、溝両壁面に微小な半球形のドットを一様に形成して、摺動抵抗を減少させてもよい。
【００４６】
さらに、前述したように、ガイド突起８ａにボールベアリング等を嵌め込み、ベアリングの外側リングをスリット面又は溝面と接するように構成して、ガイド突起８ａと、螺旋スリット１２及び後述する制限スリット１３との間の摺動抵抗を減少させてもよい。同様に、回転防止突起８ｂにボールベアリング等を嵌め込み、回転防止ガイド溝３ｃと接触するようにしてもよい。
【００４７】
さらに、回転部１１の制限スリット１３に接する側の複数の螺旋スリット１２の開口１２ｂ間のそれぞれの間には、回転部１１の外周一周に渡り、振幅が小さいジグザグ形状又は波形状に形成される凸部の開口端１２ｃが設けられている。ここでは、開口端１２ｃが左右に斜面を持つ三角の山形形状であるが、一方向の片斜面のノコギリ刀形状であってもよい。この制限スリット１３は、ガイド突起８ａの移動範囲、即ち、コイルバネ７の引張量又は縮み量を制限するものである。尚、制限スリット１３は、構成上、回転部１１を径方向で分断するため、制限スリット１３を覆うように連結部材（外周層）１１ａを設けて連結する２層構造とするか、回転部１１の厚みを増して制限スリット１３を溝として形成する。
【００４８】
各螺旋スリット１２の開口１２ｂは、開口端１２ｃの波形状の谷側に接続する。即ち、開口端１２ｃの谷の数と螺旋スリット１２の数が一致している。開口端１２ｃの凸部は、コイルバネ７の自然長に戻る際に、ガイド突起８ａが谷側に落ち込むように移動するだけでよいため、凸部の突出する長さ（高さ）は短くてもよく、ガイド突起８ａが開口端へ移動可能であれば、例えば、１〜３ｍｍ程度であってもよい。螺旋スリット１２の開口１２ｂは、開口端１２ｃに向かい、間口が広がるようにテーパーに形成されてもよい。
【００４９】
このような螺旋スリット１２と制限スリット１３によるスリット構成においては、ロール紙１００の引き出し時に、回転部１１が回転することで、移動部９のガイド突起８ａが螺旋スリット１２に沿って、コイルバネ７を引張又は圧縮しながら回転部１１の端側から中央側に移動し、制限スリット１３に到達する。その後、回転部１１の回転が継続した場合には、ガイド突起８ａは、制限スリット１３内を開口端１２ｃの波形状に沿って移動し、回転部１１が空回りした状態となり、移動部９の移動が停止し、コイルバネ７の引張又は圧縮を停止する。
【００５０】
また、ガイド突起８ａが螺旋スリット１２から制限スリット１３にガイド突起８ａが入った際に、コイルバネ７が引張状態又は圧縮状態から自然長に戻る状態に変わる。しかし、制限スリット１３に入ったガイド突起８ａは、回転部１１の回転が停止しない限り、螺旋スリット１２に入り込んでも制限スリット１３側に押し出される。このため、ガイド突起８ａは、螺旋スリット１２内には戻れず、開口端１２ｃに沿ってジグザグを移動する状態で制限スリット１３内に留まっている。
【００５１】
その後、使用者がロール紙の引き出しが終わり、回転部１１の回転が停止すると、コイルバネ７の自然長に戻るための弾性力が移動部９を回転部１１へ押しつける。ガイド突起８ａは、開口端１２ｃの山から谷に移動するように、僅かに回転部１１を回転させる、又は、コイルバネ７が僅かに捩れる。ガイド突起８ａは、開口端１２ｃの谷に開口する螺旋スリット１２に入り込む。その後、コイルバネ７の自然長に戻る弾性力により、移動部９が非回転で回転防止突起８ｂが直線的に戻るように移動する。この時、ガイド突起８ａは、螺旋スリット１２内を戻るように移動するため、回転部１１が螺旋スリット１２の旋回角度に応じて回転する。
【００５２】
制限スリット１３の機能は、回転部１１を空回りさせることで、使用者によってロール紙１００の引き出し量（引き出されたロール紙１００の長さ）が異なっても、一定の紙送り量、即ち、紙送りの回転におけるロール紙の先端の停止位置（後述する、送り出されるロール紙の長さ）を同じ位置にするためである。つまり、使用者がロール紙の引き出した長さが規定された長さ以上であれば、どのような長さを引き出しても、制限スリット１３により、コイルバネ７の引張又は圧縮をほぼ一定にすることで、紙送り時のロール紙１００の回転停止位置が同じ位置となり、ロール紙１００の先端から一定の長さのロール紙を露出させることができる。さらに、前述した移動部停止部材３ｅを利用することで、正確な回転停止位置でロール紙１００の先端を停止する。
【００５３】
反転部１４は、複数のギヤ３１と、ギヤ３１を回転可能に両側から挟む環状ガイド板３２とで構成される。この例では、３個のギヤ３１を環状ガイド板３２に等角度（１２０°）で配置する。但し、ここでは、３個のギヤ３１を用いたことを例としているが、３個に限定されるものではなく、設計により適宜、個数を設定することができる。
【００５４】
反転部１４は、回転部１１のリングギヤ１６と、ロール紙保持部６の後述する外装部４１の内歯ギヤ４３の両方の間に介在し、リングギヤ１６と内歯ギヤ４３に歯合する。反転部１４は、外装部４１の回転方向（正回転方向）を反転（逆転）させて、回転部１１へ回転（反回転方向）を伝達する。２つの環状ガイド板３２の一方は、ベース部３のフランジ部３ａ及び、フランジ部３ｂにそれぞれ取り付けられて固定される。固定方法としては、例えば、環状ガイド板３２側の所定位置に複数の固定用孔を開口し、フランジ部３ａ，３ｂに所定位置の固定用孔に対応する同数の突起を形成する。これらの突起に固定用孔を嵌め合わせて、突起を潰すことで、取り付け位置の位置決め及び、フランジ部３ａへの環状ガイド板３２の固定を行うことができる。他の方法として、環状ガイド板３２に突起を形成し、フランジ部３ａに固定用孔を形成してもよい。この固定された反転部１４は、回転部１１のリングギヤ１６と、外装部４１の内歯ギヤ４３の両方に歯合することで、ベース部３に回転部１１と外装部４１が回転可能に保持している。
【００５５】
これらのギヤ構造は、回転部１１のリングギヤ１６を太陽ギヤ、反転部１４のギヤ３１を遊星ギヤ、外装部４１の内歯ギヤ４３を内ギヤとすれば、遊星ギヤ構造となる。よって、それぞれのギヤ数を調整することにより、回転部１１の回転数と外装部４１の回転数の比を設定でき、コイルバネ７の圧縮の程度及び、送り出されるロール紙１００のロール紙端までの長さ（回転角）を設定することが可能である。また、遊星ギヤ構造とすることで、回転中心となる回転軸が不要であり、ベース部３に中空の円筒管を用いることができる。
【００５６】
この遊星ギヤ構造を用いた構成であれば、使用者がロール紙１００を引き出すことで、ロール紙１００を保持する後述するロール紙保持部６の外装部４１の内歯ギヤ４３が正回転方向に回転すると、遊星ギヤである反転部１４のギヤ３１が正回転の方向で従回転する。この時、外装部４１の内歯ギヤ４３と対向する位置関係で反転部１４のギヤ３１と歯合する回転部１１のリングギヤ１６は、反転部１４によって、外装部４１の正回転が反転（逆転）された反回転方向に回転する。回転部１１の反回転により、螺旋スリット１２がガイド突起８ａを移動させて、移動部９がコイルバネ７を引張又は、圧縮する。  
このような構成によって、ロール紙１００を引き出す際に、一体的に大径の外装部４１を回転させて、小径の回転部１１によりコイルバネ７を引張又は、圧縮する遊星ギヤ構造であるため、コイルバネの弾性力が減少化されてロール紙１００に伝達される。このため、柔らかで破れやすい紙質のロール紙１００であっても本実施形態に用いることができる。
【００５７】
尚、前述した反転部１４は、環状ガイド板３２にギヤ３１を設けた例であったが、ギヤ３１をフランジ部３ａ，３ｂに直接、設けてもよい。即ち、ギヤ３１のための軸をフランジ部３ａ，３ｂに立てて、ギヤ３１を嵌め込んでもよい。また、反転部１４をフランジ部３ａ，３ｂの両方に配置した例を示したが、これに限定されず、フランジ部３ａ又はフランジ部３ｂの何れか一方に反転部１４を配置し、他方にリング形状のベアリングを配置する構成であってもよい。
【００５８】
回転部１１の外周側には、ロール紙保持部６が設けられている。ロール紙保持部６は、円筒形状の外装部４１と、弾性を有する樹脂材料又は、金属材料を用いて、ワイヤ形状又は細板形状に形成される保持部４２とを備えている。このロール紙保持部６は、ロール紙１００が嵌め込まれ、保持部４２がロール紙１００の芯を内側から押して、ロール紙１００を保持する。
【００５９】
ロール紙保持部６の保持部４２は、両側の先端部が外装部４１の外周面から内周面に貫通するように埋め込まれて、中央部分が弓なり状に張り出ている。これらの保持部４２は、外装部４１の円筒の中心軸を中心として、外周面を等角度で例えば、３分割（ここでは、１２０度に等分割）して、３箇所に設けられている。尚、保持部４２は、ロール紙１００の芯の中心と外装部４１における中心が略一致するようにロール紙１００を配置し、回転部１１が安定して回転するためには、少なくとも３箇所以上に設けられることが望ましい。また、保持部４２を後述する適用例に用いる場合には、ロール紙の支持バーの長手方向に間隔を空けて２列（周回方向の配置を列とする）で、各１列において周面方向の３箇所に保持部４２を配置する。即ち、ロール紙１００の芯と外装部４１とが平行になるように配置して、ロール紙１００の芯の回転軸と外装部４１の回転軸とを一致させる。
【００６０】
これらの保持部４２は、外力が加わった箇所を中心に撓み、外力が外れると元の弓なりの形状に戻ることができる。従って、保持部４２にロール紙１００の芯が填め入れられると、複数の保持部４２は、それぞれに芯内部で均等な弾性力で押し出す力によりロール紙１００を保持する。
【００６１】
また、保持部４２の変形例としては、弾性を有する材料、樹脂や金属によりＬ型形状に形成する。このＬ型の一端（垂直部）を外装部４１に形成した窓（孔）を貫通して内側が外側に延び出るように配置し、他端（水平部）の先端を部分的に外装部４１に固定する構成であってもよい。この構成においては、一端の先端部分にロール紙１００の芯（内面）が当接して、外装部４１の内部に押し込み、他端（水平部）の撓みによる弾性力でロール紙１００を保持する。
【００６２】
図２、図３及び図５（ａ）乃至図５（ｇ）を参照して、本実施形態の紙送り装置の動作について説明する。図５（ａ）は、長手軸方向に延びる螺旋スリット１２と、螺旋スリット１２のジグザグ形状の開口端側に設けられる制限スリット１３とが形成された回転部１１の構成を示す図、図５（ｂ）乃至図５（ｇ）は、紙送り装置の紙送り動作を説明するための回転部の螺旋スリットと移動部の開度突起の位置関係を示す図である。以下の説明において、紙送り装置１は、後述するホルダーの支持バーに適用されている状態として説明する。また、図内のＰは、説明のための基準位置であり、回転部１１に対する、回転しない移動部９のガイド突起８ａの位置（ベース部３の長手方向における定位置）とする。
【００６３】
まず、使用者は、紙送り装置１をロール紙１００の芯内に差し入れて装着する。さらに、ロール紙１００をホルダーの支持バーに取り付ける。この時、紙送り装置１の装着部２が支持バーに対してベース部３の回転やがたつきが無いように、上下左右に振って微調整するように固定する。
【００６４】
その取り付け後、使用者によるロール紙１００の引き出し動作が開始される。この時、コイルバネ７は自然長であり、図５（ｂ）に示すように、ガイド突起８ａが回転部１１の螺旋スリット１２の先端１２ａ側に位置する第１の状態（Ｐ位置）になる。この第１の状態から、使用者によってロール紙１００が引き出されて、ロール紙保持部６が回転される。ロール紙保持部６の回転（正回転）は、内歯ギヤ４３から反転部１４のギヤ３１に同じ正回転方向に伝達される。さらに、反転部１４のギヤ３１から回転部１１のリングギヤ１６に反転された反回転方向で伝達されて、回転部１１が反回転する。
【００６５】
図５（ｃ）に示すように、回転部１１がＰ位置から矢印に示すように反回転されると、螺旋スリット１２内を移動部９のガイド突起８ａが制限スリット１３側に移動される。移動部９の移動により、コイルバネ７が引張又は、圧縮されてバネの長さが伸びる又は縮む。ロール紙１００の引き出し動作が継続されると、さらに、コイルバネ７が引張又は、圧縮されて、図５（ｄ）に示すように、ガイド突起８ａは、螺旋スリット１２から制限スリット１３に入り込む。このため、ガイド突起８ａの長手軸方向の移動がなくなり、コイルバネ７の引張又は圧縮が停止する第２の状態となる。ガイド突起８ａが螺旋スリット１２から制限スリット１３に入った際に、コイルバネ７が引張状態又は圧縮状態から自然長に戻ろうとする復帰状態に変わる。しかし、それ以後も、ロール紙１００の引き出し動作が続いた場合、回転部１１の反回転が継続し、ガイド突起８ａは、螺旋スリット１２に入り込めずに、制限スリット１３内に留まっている。また、ガイド突起８ａが螺旋スリット１２に入り込んでも制限スリット１３内に押し返される。
【００６６】
使用者によって所望する長さまでのロール紙１００の引き出された後、ホルダーの蓋板のカッター部でロール紙１００が切り取られると、ロール紙１００を引っ張っていた引圧が無くなる。これにより、コイルバネ７の自然長に復帰する弾性力を駆動源として、制限スリット１３内の移動部９のガイド突起８ａが凸部の斜面から谷に向かうように移動する。そして、図５（ｅ）に示すように、ガイド突起８ａは、開口端１２ｃの谷から螺旋スリット１２内に入り込み、第３の状態となる。
【００６７】
さらに、図５（ｆ）に示すように、コイルバネ７の自然長に戻る弾性力により、移動部９は、ガイド突起８ａが螺旋スリット１２の先端１２ａ側へ向かい、回転防止ガイド溝３ｃによって回転されずに直線的に戻ることで、回転部１１を矢印で示すように正回転側に回転させる、第４の状態となる。さらに、ガイド突起８ａが螺旋スリット１２の先端１２ａ側へ到達した場合には、図５（ｇ）に示すように螺旋の長さ分（角度分）だけ回転部１１を旋回させて、元の第１の状態に戻る。
【００６８】
回転部１１が正回転で回転した時、反転部１４を介して外装部４１を反転方向に回転させる。このため、ロール紙保持部６が外装部４１と共に一体的に反回転方向に回転する。この反回転方向の回転により、螺旋スリット１２の旋回角度に従い、ロール紙１００を紙送り回転角度を反回転させる。この紙送り回転角度を反回転して、ロール紙１００が停止すると、結果的に、ロール紙１００の端面が蓋板の先端から露出された状態となる。
【００６９】
ロール紙１００が紙送りされて、ホルダーの蓋板の先端から露出するロール紙１００の長さ（紙送り量とする）は、前述したように、主として、螺旋スリット１２の旋回角度と、反転部１４による回転部１１と外装部４１の回転比によって定まる。  
このロール紙１００の紙送り量は、紙送り回転角度に従う量（長さ）となる。紙送り量としては、例えば、ロール紙１００の径が芯の径に近づいた時に、少なくとも指でつまめる長さ、例えば、４ｃｍ〜５ｃｍ程度が露出するように、螺旋スリット１２の旋回角度が設定される。尚、１つの回転部１１では、ロール紙１００を回転させる力が弱かった場合には、ロール紙１００の支持バーに複数の紙送り装置１を配置してもよい。
【００７０】
以上説明したように第１の実施形態の紙送り装置１は、簡易な構造であり、低いコストで実現することができる。  
紙送り装置１は、駆動源４にモータでは無く、弾性部材であるコイルバネ７を用いているため、電源や電池等が不要で有り、電源供給ができない場所や電池交換の管理ができ難い環境下、例えば、山間部のトイレであっても設置することが可能であり、維持コストが発生しない。尚、モータを駆動源４としていた場合に、モータの故障、停電又は電池切れが発生した場合には、ロール紙１００が回転し難くなり、ロール紙１００の引き出しに支障を発生させる。第１の実施形態の紙送り装置１は、上述の支障が生じない。  
紙送り装置１は、使用する際にロール紙１００の引き出された長さの長短にかかわらず、ロール紙１００を一定の角度で回転させて、ホルダーの蓋板の先端から所定の長さのロール紙１００を露出させることができる。
【００７１】
また、紙送り装置１へロール紙１００を装填する場合にも、ロール紙保持部６の保持部４２が撓むことで差し込むだけでよく、ロール紙１００の装着が容易である。ロール紙１００の製造誤差や種別の違いにより、ロール紙１００の芯の内径に多少の違いがあっても、ロール紙保持部６の撓み具合でその内径の違いを吸収するため、がたつきや緩みが無いように適正に密接して、ロール紙１００を保持できる。
【００７２】
さらに、ロール紙保持部６は、ロール紙１００の芯の端部より内側に入った箇所で保持するため、ロール紙１００の芯の端部がロール紙保持部６から浮いて、芯とは接触していない状態となる。このため、ロール紙１００の芯の変形や、芯の端部に変形や凹みが生じていた場合でも、ロール紙１００が引き出されて回転した際に、ロール紙１００の芯の端部がホルダーのロール紙支持バーに接触せず、ホルダー５０の蓋板６６を上下に煽らないため、大きなカタカタ音の発生を防止できる。  
また、ロール紙１００を引き出して切り取る際に、ロール紙１００にコイルバネ７による弾性力が加わった状態であるため、ロール紙１００の側端をホルダー５０の蓋板６６のカッターに宛がい、引き上げるだけで容易に切り取ることができる。よって、ウイルスによる感染においても、トイレ内の備品に手で接触する機会を少なくすることで、接触感染を抑制することに繋がる。
【００７３】
［第２の実施形態］
次に、図６を参照して、第２の実施形態に係る紙送り装置について説明する。  
前述した第１の実施形態では、紙送り時には、ロール紙を使用する際の引き出す方向とは、逆方向に反回転させて、ロール紙の端面をホルダーの下方で停止させて、結果的に、ロール紙の端面がホルダーの蓋板の先端より露出した状態にしている。
【００７４】
本実施形態の紙送りは、ロール紙１００の切り取り後に、ロール紙１００を引き出した方向（正回転方向）と同じ方向に回転させて、ロール紙１００の端面がホルダーの蓋板の先端より露出させて停止する紙送り装置である。以下の説明において、前述した第１の実施形態と同等の構成部材には、同じ参照符号を付して、その詳細な説明は、省略する。尚、以下のストッパ部１５を備える回転機構５は、引張コイルバネを駆動源とする紙送り装置［第１紙送り装置］に適用することを想定している。
【００７５】
本実施形態の回転機構５は、回転部１１及び反転部１４に加えて、ストッパ部１５を備えている。このストッパ部１５は、リング基板２４と、係止用貫通孔２４ａと、Ｉ形係止部材２５と、支持部材２６と、スプリング２７と、磁石２８と、係止穴３ｄと、反回転防止部２９とで構成される。  
ベース部３のフランジ部３ａと反転部１４の環状ガイド板３２の間に、平板リング形状のリング基板２４が回転可能に配置される。このリング基板２４には、環状ガイド板３２が固定され、後述するようにフリーの状態となった際に、環状ガイド板３２と一体的に、ベース部３の周囲を回転可能になる。
【００７６】
Ｉ形係止部材２５は、直線的な硬質な棒材からなり、先端には係止用半球体２５ａが設けられ、他端には、磁石２８が設けられている。ここでは、Ｉ形係止部材２５の先端に設けられた係止用半球体２５ａは、半球体を例としているが限定されるものではなく、先端側が丸みを帯びていればよく、球体または、上底を丸めた円錐台であってもよい。フランジ部３ａには、後述するＩ形係止部材２５の係止用半球体２５ａが出入りする１つの係止穴３ｄが形成される。リング基板２４には、係止穴３ｄと対向する位置に、１つの係止用貫通孔２４ａが形成され、Ｉ形係止部材２５が移動可能に貫通して配置される。
【００７７】
さらに、リング基板２４には、Ｉ形係止部材２５を軸方向にスライド可能に支持するコ（Ｕ）の字型の櫓形状を成す支持部材２６が設けられている。支持部材２６内でＩ形係止部材２５には、スプリング２７が填められており、Ｉ形係止部材２５のストッパ部２５ｂと支持部材２６のフレームとの間で弾性力が働くように構成されている。この構成において、Ｉ形係止部材２５は、矢印で示すベース部３の長手軸方向にスライド移動可能である。
【００７８】
Ｉ形係止部材２５は、磁石２８が、ロール紙１００の引き出しにより移動して、制限スリット１３内に留まっている移動部９に届く長さを有している。つまり、制限スリット１３内に留まっている移動部９に磁石２８が磁力で吸着する。この吸着においては、移動部９に磁石２８が磁力で近接（非接触）して吸引された状態であってもよく、必ずしも磁石２８と移動部９が接触していなくともよい。この吸着により、コイルバネ７が自然長に復帰する際に、移動部９が移動すると、移動部９に吊られてＩ形係止部材２５がスライド移動する。このＩ形係止部材２５のスライド移動に伴い、通常時は、係止穴３ｄに嵌合している係止用半球体２５ａが係止穴３ｄから引き出される。この引き出しと共に、スプリング２７を縮めることで、スプリング２７には、元の嵌合状態に戻す方向の弾性力が発生する。係止用半球体２５ａが係止穴３ｄから引き出されると、フランジ部３ａに対して、リング基板２４がフリー状態となり、回転可能になる
反回転防止部２９は、カンチレバー形状を成し、少なくとも１つのギヤ３１に設けられており、ギヤ歯に歯合して、ロール紙１００が引き出される際の回転方向（正回転方向）のみに回転するように規制している。即ち、反回転防止部２９は、外装部４１が反回転方向に回転しないように、正回転方向のみに回転するように制限する。勿論、ギヤ３１ではなく、反回転防止部２９をリングギヤ１６側に設けてもよい。また、反回転防止部２９のカンチレバー専用に、別途、カンチレバーと歯合するノコギリ歯のリングギヤを設けてもよい。
【００７９】
ロール紙１００が引き出されるのに伴い、移動部９は、ガイド突起８ａにより螺旋スリット１２から制限スリット１３内に移動する。この時、ストッパ部１５において、磁石２８は、制限スリット１３内に留まっている移動部９に磁力により吸着する。ロール紙１００の引き出しが継続する時には、制限スリット１３の凸部を乗り越える移動部９と一体的に前後に移動する。
【００８０】
ロール紙１００の引き出し後の紙送り時には、移動部９がコイルバネ７の自然長に戻ろうとする復帰により移動した際に、吸着する磁石２８を引き連れて移動することで、Ｉ形係止部材２５が引っ張られて、係止穴３ｄから係止用半球体２５ａが引き抜かれると、反転部１４がフランジ部３ａに対して係合が解除されて、回転可能なフリー状態となる。
【００８１】
移動部９が復帰による移動を開始すると共に、回転部１１の回転が開始されるため、フリー状態のリング基板２４と共に反転部１４も連れられて回転する。この時、反回転防止部２９によりギヤ３１が反回転することが規制されてロックされた状態であるため、ロール紙保持部６と回転部１１が係合された状態となり、ロール紙保持部６は、回転部１１の回転に従って一体的に回転する。
【００８２】
また、移動部９が復帰する方向にある程度、移動すると、支持部材２６に阻まれて磁石２８が移動部９から離れ、スプリング２７の弾性力により、引き戻される。その後、係止穴３ｄから抜け出た係止用半球体２５ａは、スプリング２７に付勢されてフランジ部３ａの表面に当接した状態で滑り、反転部１４が一回転すると、係止穴３ｄに再度、差し込まれる。係止用半球体２５ａが係止穴３ｄに差し込まれると、フランジ部３ａにリング基板２４が係合し、反転部１４が固定された状態となる。尚、Ｉ形係止部材２５の係止用半球体２５ａが係止穴３ｄから抜け出た状態で紙送りが終了したとしても、次に、ロール紙１００が引き出される際に、フリー状態のリング基板２４と反転部１４が回転部１１又はロール紙保持部６の回転に連れられて回転するため、係止用半球体２５ａは、係止穴３ｄに再度、差し込まれる。
【００８３】
よって、前述したように螺旋スリット１２の旋回角度に従って、ロール紙１００を正回転方向に回転させて、ロール紙１００の端面をホルダーの蓋板の先端から露出するように紙送りを行う。この時の紙送り回転角度は、４５度程度である。勿論、前述した移動部停止部材３ｅを設けて、移動部９の移動距離を設定することで、紙送り回転角度を調整することは可能である。このストッパ部１５を設けて、ロール紙保持部６の外装部４１が正回転方向のみに回転するように制限することで、紙送り時に回転部１１が正回転する際に、回転部１１と外装部４１が一体的に正回転する。  
よって、本実施形態においては、前述した第１の実施形態と同等の作用効果を奏する。
【００８４】
次に、図７に示す第１及び第２の実施形態の紙送り装置に組み合わせて用いられる従紙送り装置について説明する。図７は、従紙送り装置における断面構造を示す図である。  
従紙送り装置２１は、簡易にいえば、図１に示した前述した紙送り装置１における装着部２と、ベース部３と、ロール紙保持部６と、これらの間をつなぐリング形状のボールベアリング２２とで構成される。前述した紙送り装置より、駆動源であるコイルバネ７、移動部９、回転部１１、反転部１４、ストッパ部１５、リングギヤ１６及び、内歯ギヤ４３を取り外した構成である。ベース部３及びロール紙保持部６は、第１の実施形態の紙送り装置を参照することで、構成の説明は省略する。
【００８５】
この従紙送り装置２１は、基本的には、紙送り装置１と組で利用するが、単独で使用してもよい。従紙送り装置２１は、紙送り装置１を簡素化した構成であり、低コストで製造できる。この従紙送り装置２１は、ロール紙１００の芯の端部より内側に入った箇所で保持するため、ロール紙１００の芯の端部に変形や凹みが生じていた場合でも、カタカタ音を発生させずに、静かにロール紙１００を引き出すことができる。このため、紙送りが不要で、カタカタ音のみが気になるユーザであれば、従紙送り装置を単独で用いることで、カタカタ音の発生を防止することができる。
【００８６】
［第１適用例］
以下に説明する第１適用例は、ロール紙１００に直に紙送り装置を取り付けた後、ホルダーの支持バーに装着する構成例である。図８（ａ）は、第１適用例における紙送り装置の斜めから見た外観構成を示す図、図８（ｂ）は、紙送り装置を正面から見た外観構成を示す図である。  
ロール紙１００の装着対象となるホルダーの支持バーは、例えば、ホルダーの左右両側に一対で配置され、共に先端が上方に回動可能に片持ち支持するように構成される。即ち、これらの支持バーは、ロール紙１００の芯の両側から入り込み、ロール紙１００を水平に支持する、跳ね上げ式の支持バーである。この跳ね上げ式の支持バーは、支持バーの支持壁（ホルダーの壁部）と、装着されたロール紙１００の側面と隙間が狭く、ロール紙１００の装着時に、支持バーを下側から跳ね上げた際に支持バーがホルダーの内壁の溝内に入り込む構造もある。図７は、第１適用例における紙送り装置の外観構成に示す図である。
【００８７】
第１適用例の紙送り装置５１は、胴体部５２、フランジ部５３及び、差し込み型固定具５４で構成される。  
胴体部５２は、ロール紙１００の幅（芯の長さ）に相当する長さを有し、その先端面がロール紙の芯内を貫通し、フランジ部５３がロール紙１００の側面に達するまで差し入れられる。胴体部５２には、少なくとも１台の紙送り装置１に相当する内側胴体部５２ａと、筒形状の先端側胴体部５２ｂと、基端側胴体部５２ｃとで構成される。
【００８８】
この構成例では、先端側胴体部５２ｂ及びフランジ部５３は、前述したベース部３に一体的に連結し非回転部である。内側胴体部５２ａ及び基端側胴体部５２ｃは、一体的に連結し、先端側胴体部５２ｂ及びフランジ部５３に対して回転可能である。先端側胴体部５２ｂは、内側胴体部５２ａのロール紙１００への差し込み先端側に設けられる。尚、先端側胴体部５２ｂを設けることは必須ではなく、内側胴体部５２ａが先端の位置まで延伸された構成であってもよい。さらに、この内側胴体部５２ａの周面上には、長手方向に間隔を空けて、紙送り装置１における保持部４２が周面に配置されている。ロール紙１００は、基端側胴体部５２ｃに当接するまで差し込むことで正しい装着位置となる。
【００８９】
胴体部５２は、ベース部３と同様に中空な管形状を成し、両端に開口が設けられている。胴体部５２の断面形状は、真円が好ましいが、紙送り装置１以外の箇所は、特に限定されるものではなく、楕円や矩形であっても適用することは可能である。胴体部５２の外装及び、フランジ部５３は、例えば、樹脂や金属により形成されている。  
この例では、ロール紙保持部６（図１に示す符号４１）の保持部４２は、２組（例えば、１組３個）で、周方向に２列に配置される。フランジ部５３は、中央に穴が開口される平坦なワッシャー形状であり、胴体部５２の一方の端部に設けられる。フランジ部５３は、ロール紙１００の装着時のストッパとして機能し、ロール紙１００の芯の径よりも僅かに大きい径に設定される。フランジ部５３は、前述したストッパ部１５のリング基板２４であってもよい。
【００９０】
一般に、ホルダーに設けられているカッターを有する蓋板は、引き出されたロール紙１００を端から切り込みを入れるために、ホルダーのロール紙装着スペースのほぼ全幅を覆う幅で設けられている構成が多い。また、ロール紙１００は、引き出されて使用されるに従い、その径が小さくなる。この時、フランジ部５３の径が大きければ、ホルダーの蓋板がフランジ部５３の縁に当接した以降は、ロール紙の径１００が小さくなっても、蓋板が下がらず、ロール紙１００から浮いた状態となり、ロール紙１００が切り取りにくくなる。このロール紙が切り取りにくくなることを防止するために、芯の径を考慮して、フランジ部５３の径がなるべく小さくなるように設定する。
【００９１】
さらに、フランジ部５３は、紙送り装置１におけるロール紙１００の紙送り方向を確認するための識別部材としても利用される。即ち、構成上、紙送り装置１の回転方向が規定されているため、ホルダーの支持バーに装着する際に、フランジ部５３がロール紙の右側に来るように装着されるか、ロール紙１００の左側に来るように装着されるかは、紙送り装置１の正回転方向により予め設定されている。前述した実施形態では、ホルダーに取り付ける際に、フランジ部５３がロール紙１００の左側（図８（ａ）参照）に来るように設定している。尚、ロール紙保持部６の表面にロール紙１００の嵌め込み方向を示す矢印及び注意書き等を記載することが好ましい。
【００９２】
また、差し込み型固定具５４がフランジ部５３及び先端側胴体部５２ｂの筒の開口の両方に差し込まれている。この構成においては、先端側胴体部５２ｂに差し込まれる差し込み型固定具５４の方がフランジ部５３に差し込まれる差し込み型固定具５４よりも鍔部の径が小さくなっている。  
差し込み型固定具５４は、装着部２と同等であり、弾性材料を用いて、上底が開口された円錐台形状、コーン形状、又は、鰐口形状に形成され、胴体部５２の両側から内部に差し入れるように設けられる。
【００９３】
差し込み型固定具５４は、ホルダー５０に装着した際に、ホルダー５０の支持バーの先端が開口を貫通する状態となる。つまり、差し込み型固定具５４は、上底の開口が支持バーの先端を貫通する状態で取り付けられることで、フランジ部５３と先端側胴体部５２ｂが支持バーに対して開口部分で挟み込んで固定される。紙送り装置５１の内側胴体部５２ａと基端側胴体部５２ｃが一体的に回転し、ロール紙１００の紙送りを行う。差し込み型固定具５４は、支持バーの形状に合わせて形成でき、交換可能である。
【００９４】
また、差し込み型固定具５４は、前述した円盤形状（蓋形状）の弾性部材に、スリットを形成したものであってもよい。さらに、前述したベース部３と同様に、胴体部５２において、両端から差し込まれた差し込み型固定具５４間の中央の空きスペースを芳香剤を収納する収納スペースとして用いてもよい。この収納スペースの位置の胴体部５２は、複数の孔を形成してメッシュ状にしてもよい。また、この場合、いずれか一方の差し込み型固定具５４が胴体部５２から着脱可能に構成される。
【００９５】
この第１適用例では、胴体部５２に、２列の保持部４２を配置した例を示している。これは、ロール紙１００の芯が、長手方向の２箇所の位置で保持部４２により、支持バーと平行に安定して保持されるように、２列に並設している。尚、１台の紙送り装置を設けて２列の保持部を設けた構成例を示したが、１列の保持部を有する紙送り装置を２台並設する構成、又は、それぞれに１列の保持部を有する、１台の紙送り装置及び１台の従紙送り装置と組み合わせて構成してもよい。
【００９６】
以上説明した第１適用例による紙送り装置は、ロール紙１００の芯に直に差し込んで固定した後、ロール紙１００と一体的にホルダーに装脱着して利用できる。また通常、ホルダーは、一旦トイレ壁面に設置された後には、破損等により使用することに支障が生じない限りは、交換されない場合が多い。第１適用例による紙送り装置は、これらの既設及び既存のホルダーに対して、大抵の構造の支持バーにも対応でき、適用範囲が広く、効率的である。例えば、第１適用例の紙送り装置は、ホルダーのロール紙１００の装着スペースがロール紙１００の幅に対して余分なスペースが少なく、ロール紙１００の芯を両側から支持する跳ね上げ式の支持バーであっても、紙送り装置を差し入れたロール紙１００を容易に装脱着できる。
【００９７】
さらに、跳ね上げ式の支持バー以外では、伸縮可能な一本の真っ直ぐな筒状を成し、ロール紙１００の芯を貫通して、ホルダーの両方の壁部に突っ張り支持する支持バーであっても同様に利用することが可能である。即ち、上述したように、支持バーがロール紙１００の芯に両側から差し込まれるタイプ及び、ロール紙１００の芯を貫通するタイプであっても、又はロール紙１００を支持する支持部が芯の端部を両側から挟み込むタイプであっても、差し込み型固定具５４の形状を装着対象の支持バー又は、支持部の形状に合わせて変更することにより、どのようなホルダーにおいても適用することが可能である。尚、紙送り装置が組み込まれたロール紙１００の芯を貫通するタイプの支持バーに対しては、前述したように、ホルダーに対して支持バーが回転できないように固定する固定具が別途、必要である。
【００９８】
紙送り装置は、ロール紙１００が全て使用されて芯のみとなった際に、ホルダーの支持バーから芯ごと取り外した後、フランジ部５３を掴み、芯から胴体部５２を引き抜き、新たなロール紙１００の芯に胴体部５２を差し替えるだけで、容易にロール紙１００の交換ができる。
【００９９】
さらに、ウイルスが付着しやすいトイレ内においては、ロール紙１００を引き出す際に、他人が触っていると想定されるホルダーの蓋板に触らずに、ロール紙１００の先端を掴むことができ、衛生的である。また、使用する長さを引き出した際に、ロール紙１００にコイルバネ７による引力が生じているため、素早く斜め上に引き上げれば、蓋板の先端に設けられたカッターにより蓋板に触ることなく切り取ることも可能である。蓋板の先端面の端に突起部材を後から貼り付けて、ロール紙１００の切り取り時に切り込みを発生させてもよい。また、ミシン目が付いたロール紙１００であれば、カッターの先にミシン目が見えた時点で引き上げれば、容易に切断することができる。
【０１００】
［第２適用例］
前述した第１適用例では、紙送り装置がロール紙１００に直に装着する構造であるため、公共施設やビル内の共有施設、例えば、公共トイレ及び共有トイレに利用する場合、持ち去りや紛失等が懸念される。第２適用例は、ロール紙ホルダーの支持バーに紙送り装置を組み入れた構成例である。図９は、第２適用例における紙送り装置が搭載されたホルダーの外観構成に示す図である。
【０１０１】
図９に示すように、ロール紙１００のホルダー６１は、背部６２と、背部６２の一方の側端に設けられる固定形壁部６３と、固定形壁部６３に一端側が固定される支持バー６４と、前記背部６２に回動可能に設けられた先端にカッターを有する蓋板６６とで構成される。背部６２と固定形壁部６３とで、Ｌ形のホルダー本体を構成する。背部６２と固定形壁部６３は、一体的な構造であってもよい。背部６２は、室内の壁等に取り付けるための背面側が平坦な形状である。尚、この第２適用例の固定形壁部６３は、後述する第３適用例の開閉形壁部７３に変更することも可能である。
【０１０２】
この第２適用例においては、支持バー６４に、少なくとも１台の前述した紙送り装置１が組み込まれ、長手方向に間隔を空けて２列に配置される複数の保持部４２が設けられている。また、１列の保持部４２を有する紙送り装置を２台配置する構成、又は、それぞれに１列の保持部４２を有する、１台の紙送り装置及び１台の従紙送り装置の組み合わせて構成してもよい。尚、ホルダーに紙送り装置１に組み入れる構成においては、装着部２は、不要である。支持バー６４は、固定形壁部６３に回転可能に設けられている回転取り付け台６５に取り付けられている。支持バー６４に装着されるロール紙１００は、ストッパとして機能する回転取り付け台６５（基端側胴体部５２ｃに相当）にロール紙側面が当接する位置まで差し込まれる。支持バー６４は、回転取り付け台６５と共に固定形壁部６３に対して回転可能である。勿論、支持バー６４と回転取り付け台６５とは、一体的に回転可能な構成であっても、個別に回転可能な構成であってもよい。
【０１０３】
また、蓋板６６は、背部６２の上側に配置され、ロール紙１００の交換を容易にするために、手で先端を上方に持ち上げた際に、一時的にロックする構成を有する。例えば、固定形壁部６３に半球状の突起部６３ａを形成し、持ち上げた蓋板６６の側端が突起部６３ａに一時的に引っ掛かる構成でもよい。  
この第２の適用例においては、ロール紙１００の装着は、蓋板６６の先端を持ち上げて上方にロックした後、固定形壁部６３が設けられていない側方から、支持バー６４にロール紙１００の芯を差し込み、紙送り機構の外装部４１の保持部４２に固定する。
【０１０４】
また、ロール紙１００の交換の際には、蓋板６６の先端を持ち上げて、突起部６３ａを一旦超えた後に、蓋板６６を離すと、蓋板６６の側端が突起部６３ａに掛かり、蓋板６６が跳ね上げられた状態となる。その後、ロール紙１００の芯を支持バー６４の保持部４２から側方に抜き取り、新たなロール紙１００の芯を保持部４２に差し込み装着する。その後、蓋板６６の先端を押し下げて、係止を解除して、蓋板６６をロール紙１００に当接させる。
【０１０５】
この第２適用例によれば、紙送り装置がロール紙１００のホルダーと一体的に構成されているため、盗難や紛失の虞がなく、公共施設及び共有施設のトイレ等に適用することができる。また、電源供給や電池交換が難しい環境下の施設においても簡易に設置することができ、電源及び電池交換に関する管理も不要である。  
さらに、ロール紙１００の芯の端部に変形や凹みが生じていた場合でも、カタカタ音を発生させずに、静かにロール紙１００を引き出すことができ、公共施設及び共有施設のトイレに好適する。
【０１０６】
［第３適用例］
前述した第２適用例では、ロール紙１００のホルダー６１の背部６２の一方に固定形壁部６３を設けた構成であったが、この第３の適用例では、背部の両側端に、それぞれ壁部を設けたコの字型形状である。図１０は、第３適用例における紙送り装置が搭載されたホルダーの外観構成に示す図である。
【０１０７】
図１０に示すように、ロール紙１００のホルダー７１は、コの字型の外観形状を成し、背部７２と、背部７２の一方の側端に回動可能に設けられる開閉形壁部７３と、背部７２の他方の側端に張り出すように設けられる固定形壁部７４と、開閉形壁部７３から一端側が固定される支持バー７５と、先端にカッターが設けられた蓋板７７とで構成される。尚、固定形壁部７４は、必須な構成部位では無く、第２適用例と同じ形の背部７２と開閉形壁部７３による、Ｌ形の構成であってもよい。
【０１０８】
この支持バー７５には、第２適用例と同様に、少なくとも１台の前述した紙送り装置１が組み込まれ、長手方向に間隔を空けて２列に配置される複数の保持部４２が設けられている。また、１列の保持部を有する紙送り装置を２台配置する構成、又は、それぞれに１列の保持部を有する、１台の紙送り装置及び１台の従紙送り装置を組み合わせて構成してもよい。この支持バー７５も前述した第２適用例と同様に、開閉形壁部７３に回転可能に設けられている回転取り付け台７８に取り付けられている。この回転取り付け台７８は、ロール紙１００を支持バー７５へ装着する際のストッパとして機能する。
【０１０９】
背部７２は、壁等に取り付けるための背面側が平坦な形状である。開閉形壁部７３は、背部７２の端部にヒンジ７６等で接続され、側方に例えば、９０°までの範囲で回動可能に設けられている。この回動構造は、ロール紙１００の交換のための構造である。
【０１１０】
また、蓋板７７は、背部７２の上側に配置される。ロール紙１００の交換を容易にするために、開閉形壁部７３を開けた際に、蓋板７７を突き上げて、先端側（カッター側）を上方に上げて、一時的にロックさせる突き上げ機構８１が背部７２に設けられている。または、前述した第２の適用例と同様に、手で蓋板７７を先端を上方に持ち上げた際に、先端が上方に向いた状態で係止する突起部６３ａと同様な突起部を固定形壁部７４に形成してもよい。
【０１１１】
この突き上げ機構８１は、突き上げピン８３と、スプリング（コイルバネ）８４と、永久磁石８５とで構成される。突き上げ機構８１は、背部７２の開閉形壁部７３と近接する位置に形成されたブロック８２の孔の中に、金属又は磁石からなる突き上げピン８３と、突き上げピンを押し上げるスプリング８４とが配置され、開閉形壁部７３に永久磁石８５が配置される。永久磁石８５は、開閉形壁部７３側に配置される。  
開閉形壁部７３を背部７２に閉じた状態の時に、突き上げピン８３と永久磁石８５とが近接する位置に配置され、永久磁石８５の磁力により、背部７２内の突き上げピン８３を吸着して移動しないように、その位置を保持する。通常の使用時においては、突き上げピン８３は、蓋板７７に押し下げられて、永久磁石８５に吸着され、スプリング８４が縮んだ状態となっている。
【０１１２】
ロール紙１００の交換時に、開閉形壁部７３を背部７２から開くように回動させると、永久磁石８５が突き上げピン８３から離れ、磁力による束縛から開放されて、縮んだスプリング８４が延びて、突き上げピン８３が突き出され、ホルダー７１の蓋板７７の先端側が上方に押し上げられる。
【０１１３】
次に、ロール紙１００を支持バー７５に装着した後、開閉形壁部７３を背部７２に戻し、蓋板７７を手で押し下げる。この時、蓋板７７により突き上げピン８３がブロック８２内に押し戻されてスプリング８４が縮んだ状態となる。この状態において、永久磁石８５が突き上げピン８３を磁力により吸着して、突き上げピン８３の位置を保持し、ホルダー７１の蓋板７７がロール紙１００に接した状態を保持する。
【０１１４】
また、突き上げ機構８１の変形例としては、スプリング８４に代わって、ワイヤを用いた構成であってもよい。即ち、金属等の重量がある材料により突き上げピン８３を形成し、突き上げピンの底部にワイヤの一端を連結する。背部７２のブロック８２の孔に、底部側から突き上げピン８３を差し入れて、孔の開口からワイヤが延び出た状態にする。ワイヤの他端を開閉形壁部７３に連結する。この構成により開閉形壁部７３が開かれた際に、ワイヤが引かれて、突き上げピン８３が底側から引き上げられて突出し、蓋板７７を押し上げる。開閉形壁部７３を元の位置に閉じると、突き上げピン８３の自重により、ワイヤと共にブロック８２の孔内で下降し、元の位置に復帰する。  
尚、この第３適用例の開閉形壁部７３は、前述した第２適用例の固定形壁部６３に適用することが可能であり、開閉形壁部７３に変更することもできる。即ち、第３適用例の開閉形壁部７３を設けることは、必須ではなく、開閉形壁部７３の一方を設けた構成であってもよい。
【０１１５】
この第３適用例によれば、紙送り装置１がロール紙１００のホルダー７１と一体的に構成されているため、盗難や紛失の虞がなく、公共施設及び共有施設のトイレ等に適用することができる。また、電源供給や電池交換が難しい環境下の施設においても簡易に設置することができる。さらに、開閉形壁部７３が前方に開き、且つ全開しなくとも、ロール紙１００の交換が容易にできるため、狭い設置スペースでもホルダーを設置することができる。
【０１１６】
さらに、ロール紙１００の芯の端部に変形や凹みが生じていた場合でも、カタカタ音を発生させずに、静かにロール紙１００を引き出すことができ、周囲の利用者に対して気を使うことないため、公共施設及び共有施設のトイレに好適する。  
また、ホルダー７１は、固定形壁部７４を無くして、開閉形壁部７３によるＬ形に構成した場合には、開閉形壁部７３を開いた状態で、前方からロール紙１００の交換ができるため、固定形壁部７４を設ける側が室壁であっても設置することができる。  
さらに、突き上げピン８３とホルダー７１の蓋板７７とを連結部材（図示せず）で連結すれば、ロール紙１００を使用する状態のホルダーにおいては、永久磁石８５が突き上げピン８３を吸着していることで、ホルダー７１の蓋板７７が固定されることとなるため、使用者が蓋板７７を手で押さえなくとも引き出したロール紙１００を切り取ることができる。よって、ウイルスが付着しやすいトイレ内においては、ロール紙を引き出す際に、他人が触っていると想定されるホルダーの蓋板に触らずに、ロール紙の先端を掴み、切り取ることができ、衛生的である。
【０１１７】
［第４適用例］
また第４の適用例として、図１０に示すように、前述したホルダー７１の固定形壁部７４内には、音声部８６が備えられる。勿論、ホルダー６１の固定形壁部６３又は、ホルダー７１の開閉形壁部７３に対しても適用することができる。音声部８６は、音楽や音声ガイダンスを発する。図１１に示すように、音声部８６は、筐体８７に収納され、固定形壁部６３又は固定形壁部７４内に脱着できる構成である。この音声部８６は、コネクタ部９０、制御部９１、記憶部９２、音声再生部（増幅）９３、電源部９４、スピーカ９５、スイッチ９６、表示部９７、及び赤外線センサ９８を備えている。筐体８７は、固定形壁部７４に対して、一体的になるように取り付けることができる。筐体８７にカギ部を設けて、カギの所有者のみが脱着することができるようにしてもよい。音声再生部（増幅）９３は、制御部９１に含まれてもよい。
【０１１８】
音声部８６の構成について説明する。まず、コネクタ部９０は、例えば、ＵＳＢコネクタであり、外部パソコン３００や図示しないＵＳＢメモリと接続し、データの通信を行う。制御部９１は、音声部の各構成部を制御し、例えば、ＣＰＵ等で構成され、データのやり取りや電源管理を行う。記憶部９２は、音楽データ、音声ガイダンスデータ及び、制御データの書き込み、読み出し、消去が可能な不揮発性の半導体メモリ素子であり、例えば、ＥＥＰＲＯＭ（Electric Erasable Programmable Read-Only Memory）［登録商標］やフラッシュメモリ等が適用できる。尚、音声部８６のデータ源としてＵＳＢメモリを利用し、ＵＳＢメモリを差し込んだまま使用する場合には、記憶部９２は必須ではない。音声再生部９３は、記憶部９２から読み出された音楽データや音声ガイダンスデータを増幅して、スピーカ９５に出力する。
【０１１９】
さらに、電源部９４は、電源として、乾電池又は充電池を用いている。リチウムイオン電池等の充電池の場合には、コネクタ部９０に接続された外部のパソコン又は、外部の充電器により充電を行う。また、アンテナ等を設けて、ワイヤレス充電を可能にしてもよい。スピーカ９５は、小型スピーカであり、音声再生部９３から出力された音楽データや音声ガイダンスデータを音として発する。スイッチ９６は、例えば、電源スイッチ機能と、再生するデータを選択する選択スイッチ機能、及び、スピーカ９５から出力される音量を調整する音量調整機能を有する。また、使用者がスイッチ９６をオン・オフすることも可能である。表示部９７は、簡易な構成であれば、例えば、複数の発光ダイオードで構成されたインジケータであり、電源部９４における電池の残容量や充電状態と、スイッチ９６のオン・オフを示している。電池の残容量が閾値以下になった場合には、点滅灯により、充電又は電池交換を促す。または、表示部９７を液晶ディスプレイにより構成してもよく、再生するデータの選択表示（文字・数字表示）や電池の残量、充電状態等を表示してもよい。
【０１２０】
赤外線センサ９８は、ロール紙１００のホルダーがトイレ内に配置された場合には、検出対象である利用者がトイレ内に入室（近接）したこと及び退出（離間）したことを検知する。赤外線センサ９８が検出対象を検出した後、制御部９１が待機状態から起動状態へ移行し、自動的に音楽データや音声データを再生し、音をスピーカ９５から出力する。その後、赤外線センサ９８が検出対象を検出しなくなった際には、再生を停止し、起動状態から待機状態に移行して、消費電力を低減する。基本的には、赤外線センサ９８が近接した検出対象を検出している間は、音声再生部９３が音楽データや音声ガイダンスデータを含む音声データを再生し、検出対象が離間して、検出されなくなった時に、音楽データや音声データの再生を停止する。例えば、トイレ室内に利用者が入室すると共に、音楽データや音声データの再生を開始し、トイレ室内から利用者が退室すると共に、その再生を停止する。尚、前述したように、使用者がスイッチ９６をオフして、再生される音楽やガイダンスの出力を停止させることもできる。
【０１２１】
このように構成された音声部８６は、ロール紙のホルダーから取り外されて、外部パソコン３００にコネクタ部９０を通じて、例えば、ＵＳＢケーブル等でケーブル接続される。記憶部９２には、所望する音楽の音楽データを記憶させることができる。また、排便時に発生する音を目立たなくするために重畳させる打ち消し音の音データを記憶させてもよい。さらに、記憶部９２に記憶される音声データとして、例えば、空港や公共施設のトイレにホルダーを設置した場合であれば、複数国の言語でトイレの使用方法、諸注意等を音声ガイダンスしてもよい。また、音声データは、商店や飲食店の店舗トイレにホルダーを設置した場合であれば、推奨する商品紹介、特売案内や店舗コマーシャル等をガイダンスしてもよい。また、音楽データは、音楽だけではなく、自然界に発生する音（例えば、波の音、虫や鳥等の鳴く音等）、及び人工的に作成した音等のデータを含むものとする。  
さらに、通信部として、無線ＬＡＮ機能又は、ブルートゥース（登録商標：Bluetooth）機能を備えさせて、ケーブル接続せずに無線通信によって、記憶部９２に記憶される音楽データや音声データを書き換えることも可能である。
【０１２２】
以上説明した実施形態及び適用例の紙送り装置は、ロール紙１００（トイレットペーパーやキッチンペーパー等）に適用できるだけではなく、他にも、外側から引き出すように巻回されたものに対して適用することが可能であり、例えば、テープ（紙、布、樹脂等）、シート、粘着テープ、ロール状食品用ラップ、さらには、スプールに巻回されたもの、例えば、糸、線材（導線や針金等）、ケーブル、紐、ロープ、ホース及び電線等を含む。
【０１２３】
以上説明した本発明の実施形態及びいくつかの適用例は、限定されるものではない。実施段階では、その要旨を逸脱しない範囲で種々に変形することが可能である。さらに、上述した実施形態には、種々の段階の発明が含まれており、開示される複数の構成要件における適宜な組み合わせにより種々の発明が抽出される。また、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出される。
【符号の説明】
【０１２４】
１…紙送り装置、２…ロール紙ホルダー、３…ベース部、３ａ，３ｂ…フランジ部、３ｃ…回転防止ガイド溝、４…駆動源、５…回転機構、６…ロール紙保持部、７…コイルバネ、７Ａ…引張コイルバネ、７Ｂ…圧縮コイルバネ、８ａ…ガイド突起、８ｂ…回転防止突起、９…移動部、１０…回転機構、１１…回転部、１２…螺旋スリット、１３…制限スリット、１４…反転部、１５…ストッパ部、１６…リングギヤ、２１…従紙送り装置、２２…ボールベアリング、２４…リング基板、２４ａ…係止用貫通孔、２５…Ｉ形係止部材、２５ａ…係止用半球体、２５ｂ…ストッパ部、２６…支持部材、２７…スプリング、２８…磁石、２９…反回転防止部、３１…ギヤ、３２…環状ガイド板、４１…外装部、４２…保持部、５１…紙送り装置、５２…胴体部、５２ａ…内側胴体部、５２ｂ…先端側胴体部、５２ｃ…基端側胴体部、５３…フランジ部、５４…差し込み型固定具、６１，７１…ホルダー、６２，７２…背部、６３，７４…固定形壁部、６４，７５…支持バー、６５，７７…蓋板、７３…開閉形壁部、１００…ロール紙。
【要約】
【課題】ロール紙が切り取られた後に、ロール紙の端面を露出させるように回転し、且つロール紙を引き出す際に発生する音を低減する静音型紙送り装置を提供する。
【解決手段】紙送り装置は、管形状のベース部と、ロール紙を回転させるための駆動力を供給する駆動源と、駆動源の外周側に設けられる回転機構と、ロール紙を保持するロール紙保持部と、を備える。回転機構の回転部に形成された螺旋スリットを移動する移動部が駆動源に対して引張又は圧縮を行い、自然長に復帰する際に発生する弾性力でロール紙保持部を回転させて、ロール紙ホルダーの蓋板下のロール紙の端面を露出させる。
【選択図】図１【図１】
0006905643.tif 000002
【図２】
0006905643.tif 000003
【図３】
0006905643.tif 000004
【図４】
0006905643.tif 000005
【図５】
0006905643.tif 000006
【図６】
0006905643.tif 000007
【図７】
0006905643.tif 000008
【図８】
0006905643.tif 000009
【図９】
0006905643.tif 000010
【図１０】
0006905643.tif 000011
【図１１】
0006905643.tif 000012